(57)【特許請求の範囲】
【請求項１】
横方向に並べた状態で複数段に積み重ねられ充填されたフレキシブルコンテナの各段上部に所要以上の引っ張り強度を有する柔軟な帯状のシートを敷くために、該シートに設けた掛け留め手段に留める棒状の係止部を、伸縮手段を備えて長さ調節可能とした竿体の先端に屈曲状態に設けて成り、
前記棒状の係止部に巻き取った前記シートを、横方向に並べられた複数のフレキシブルコンテナの各段上部に低所から安全に敷設できるようにしたことを特徴とするシート取扱治具。
【請求項２】
所要以上の引っ張り強度を有する柔軟な帯状のフレキシブルコンテナ荷崩れ防止シートの端部に、該シートが繰り出し可能な管体を帯の長さ方向に直行させて設けて成る請求項１に記載のシート取扱治具で使用するフレキシブルコンテナ荷崩れ防止シート。
【請求項３】
請求項１に記載のシート取扱治具を用いてフレキシブルコンテナ荷崩れ防止シートを敷設する方法であって、
シート取扱治具の棒状の係止部を荷崩れ防止シートの掛け留め手段に掛け留めて、該シートを前記棒状の係止部に巻き付いた状態とし、
横方向に並べられた複数のフレキシブルコンテナの上部に巻いたシートを載せて該シートの先端を先頭部のフレキシブルコンテナに固定し、
そこから横方向に亘って巻き付け部を回転させてシートを巻き戻ししつつ最後部のフレキシブルコンテナまで掛け渡し、
次に該シートの上にフレキシブルコンテナを並べてから、その下段と同様に前記シート取扱治具を用いて、横方向に並べられた複数のフレキシブルコンテナの上部にシートを低所から高さに応じて竿体の長さ調節をしつつ掛け渡し、
以後その上の各段にも同様に格段毎に上記シート敷設作業を繰り返し、フレキシブルコンテナの上部の全面に低所から安全にシートを敷設できるようにしたことを特徴とするフレキシブルコンテナ荷崩れ防止シートの敷設方法。
【発明の詳細な説明】
【０００１】
【発明の属する技術分野】
本発明はフレキシブルコンテナの保管における荷崩れを防止するシートと、そのシートをフレキシブルコンテナ上に敷くために用いるシート取扱治具、さらにそのシート取扱治具を用いてフレキシブルコンテナ荷崩れ防止シートを敷設する方法に関するものである。
【０００２】
【発明が解決しようとする課題】
昨今、穀物、樹脂ペレットなどの顆粒物、粉体物を多量に運搬、貯蔵する場合には、大容量のフレキシブルコンテナが使用されるようになってきており、前記顆粒物などを収容したフレキシブルコンテナの重量も１トン位にもなるため、フォークリフトなどの揚重機器を用いてそのフレキシブルコンテナの上げ下ろしや運搬が行われている。そして、フレキシブルコンテナに収容した顆粒物や粉体物の貯蔵に際しては保管スペースを有効に利用するために、フレキシブルコンテナを上下複数段にして積み重ねることが多くなされている。
例えば、下一段にフレキシブルコンテナを縦横に複数ずつ並べたのち、その上に直接、前述と同じように縦横に複数ずつ並べていくことで複数段に積み重ねたり（棒積みと称されている）、また、一段目に縦横に並べた複数のフレキシブルコンテナの上にベニヤ合板を井桁状に並べて、そして、その上に再びフレキシブルコンテナを縦横に並べ、これを繰り返して複数段に積み重ねるようにもしていた。
【０００３】
しかしながら、フレキシブルコンテナ自体の形状が少々不安定であるために、上記棒積み形式の積み重ね方では経験などに基づいた適切な積み重ねを行わなければ荷崩れする可能性があり、特に上下複数段に積み重ねられたフレキシブルコンテナが上下方向、即ち、縦方向の隙間が広がり、結果的に荷崩れ（所謂、縦割れ）が起こり易く、揚重機器を用いてもその積み重ね作業に手間を要するものとなっていた。また、上記ベニヤ合板を用いた積み重ね方では、ベニヤ合板自体が重く、例えば、フレキシブルコンテナの上に登ってそのベニヤ合板を敷き詰める作業は非常に困難なものとなっており、四段、五段となるとその敷き詰め作業高さも高くなり危険性を伴うことになっていた。そして、ベニヤ合板の価格が高く経済的なものともいえなかった。
そこで本発明は所要以上の引っ張り強度を有するシートをフレキシブルコンテナの上に渡し、上下のフレキシブルコンテナの間にそのシートを挟み込むことで、シートが渡されて並ぶフレキシブルコンテナの間が開き隙間が上下に広がっていくことを防げる点に着目したものであり、上記事情に鑑みて、フレキシブルコンテナの上に容易に荷崩れ防止シートを敷くことができるようにすることを課題とし、フレキシブルコンテナの積み上げ状態を安定させるとともに、安全にシートを敷くことができるようにすることを目的とする。
【０００４】
【課題を解決するための手段】
本発明は上記課題を考慮してなされたもので、本発明は、横方向に並べた状態で複数段に積み重ねられ充填されたフレキシブルコンテナの各段上部に所要以上の引っ張り強度を有する柔軟な帯状のシートを敷くために、該シートに設けた掛け留め手段に留める棒状の係止部を、伸縮手段を備えて長さ調節可能とした竿体の先端に屈曲状態に設けて構成したものである。
そして、前記棒状の係止部に巻き取った前記シートを、横方向に並べられた複数のフレキシブルコンテナの各段上部に低所から安全に敷設できるようにしたことを特徴とするものである。
また、本発明のフレキシブルコンテナ荷崩れ防止シートは、所要以上の引っ張り強度を有する柔軟な帯状のフレキシブルコンテナ荷崩れ防止シートの端部に、該シートが繰り出し可能な管体を帯の長さ方向に直行させて設けて成る請求項１に記載のシート取扱治具で使用するものである。
さらに、本発明のフレキシブルコンテナ荷崩れ防止シートの敷設方法は、請求項１に記載のシート取扱治具を用いてフレキシブルコンテナ荷崩れ防止シートを敷設する方法である。
その方法はシート取扱治具の棒状の係止部を荷崩れ防止シートの掛け留め手段に掛け留めて、該シートを前記棒状の係止部に巻き付いた状態とする。
そして、横方向に並べられた複数のフレキシブルコンテナの上部に巻いたシートを載せてそのシートの先端を先頭部のフレキシブルコンテナに固定する。
さらに、そこから横方向に亘って巻き付け部を回転させてシートを巻き戻ししつつ最後部のフレキシブルコンテナまで掛け渡す。
次にそのシートの上にフレキシブルコンテナを並べてから、その下段と同様に前記シート取扱治具を用いて、横方向に並べられた複数のフレキシブルコンテナの上部にシートを低所から高さに応じて竿体の長さ調節をしつつ掛け渡す。
以後その上の各段にも同様に格段毎に上記シート敷設作業を繰り返し、フレキシブルコンテナの上部の全面に低所から安全にシートを敷設できるようにしたことを特徴とするものである。
【０００５】
本発明の荷崩れ防止シートを用いてフレキシブルコンテナを積み上げた場合には、積み上げられて隣合うフレキシブルコンテナの間に縦割れが発生しようしても、フレキシブルコンテナから伝わる引張力にそのフレキシブルコンテナで上下から挟み付けられているシートが充分に対抗して縦割れを防止する。
【０００６】
【発明の実施の形態】
つぎに本発明を図１から図１３に示す実施の形態に基づいて詳細に説明する。図中１は荷崩れ防止シートであり、このシート１は中身が充填されたフレキシブルコンテナの上部に敷くことのできる幅であって横方向に並べられた複数のフレキシブルコンテナの上部に亘って掛け渡すことのできる長さを備えた帯状本体２より構成されている。そして、この帯状本体２の寸法は幅が８００〜１５００ｍｍで、長さが２４００ｍｍ以上とされている。
中身が充填されたフレキシブルコンテナは通常、一辺が１０００〜１３００ｍｍの立方体であり、最も汎用のものは一辺が１２００ｍｍである。フレキシブルコンテナは少なくとも横に二個並べられた状態で複数段に積み重ねられる。荷崩れ防止シート１は後述するように横方向に並べられた複数個のフレキシブルコンテナの上部に亘って掛け渡されるが、その荷崩れ防止シート１の幅が８００ｍｍ以下であると積み重ねられたフレキシブルコンテナの縦割れを充分に防ぐことができず、逆に幅が１５００ｍｍ以上であるとフォークリフトや後述のシートパレットを用いてフレキシブルコンテナの荷役作業を行う際に引っ掛かるなどして作業性に支障を来す。従って、荷崩れ防止シート１の幅としてはフレキシブルコンテナの幅と同等かやや小さい程度である必要があり、９００〜１２００ｍｍ程度が好ましい。また、フレキシブルコンテナは少なくとも横に二個並べられるので荷崩れ防止シート１の長さは最も汎用のものを考慮して上述のように２４００ｍｍ以上必要であり、両端の垂れ下がり部分を含めて２５００ｍｍ以上であることが望ましい。
また、前記帯状本体２は柔軟性を有した織布であることが望ましく、材質としては特に限定されるものはないが、綿、麻などの天然材料あるいは合成樹脂などが採用できる。合成樹脂としては、ポリアミド、ポリエステル、ポリ塩化ビニルおよびポリオレフィンなどが挙げられるが、軽量であり繊維強度や寸法安定性に優れ、かつ、安価で汎用性をもつなどの点から、ポリエチレン、ポリプロピレンなどのポリオレフィン系樹脂が好ましい。
【０００７】
この荷崩れ防止シート１は図６に示されているように上下に積み重ねられるフレキシブルコンテナａの間に挟み入れるようにして使用されるものであり、先ず、複数のフレキシブルコンテナａを横方向に並べてからそのフレキシブルコンテナａの上部に亘って荷崩れ防止シート１を掛け渡し、その上に再びフレキシブルコンテナａを並べ設けて、複数のフレキシブルコンテナａを上下複数段にして積み上げている。このように上下のフレキシブルコンテナａの間に荷崩れ防止シート１を介在させているので、図６（ロ）に示すように前記フレキシブルコンテナａが横方向にずれこもうとしたときにも、帯状本体２（即ち、シート１）が、フレキシブルコンテナから作用する引っ張り力ｂに対抗することのできる所要以上の引っ張り強度を予め有しているので、積み上げられたフレキシブルコンテナの縦割れの広がりを防止するようになる。
また、図７はシートパレットｃも介在させた状態でフレキシブルコンテナａが積み上げられている状態を示している。このように、荷崩れ防止シート１はシートパレットｃの上にフレキシブルコンテナを載置させながら積み上げる場合にも使用できるものであり、まず、シートパレットに載置させた状態でフレキシブルコンテナａを横方向に並べてからその上部に亘って荷崩れ防止シート１を掛け渡し、その上に再びシートパレットｃとともにフレキシブルコンテナａを乗せ設けて、複数のフレキシブルコンテナａを上下複数段にして積み上げる。このように、シートパレットをフレキシブルコンテナと荷崩れ防止シートとの間に介在させた状態でも、その荷崩れ防止シートは上下から挟み付けられ、縦割れを生じそうになった場合でも、前記荷崩れ防止シートが引っ張り力に抗するようになる。
なお、上下のフレキシブルコンテナに挟まれた状態において、シートパレットと荷崩れ防止シートとの接面部分では充分な摩擦抵抗があって滑りが生じず、外部がら専用機器を用いてシートパレットを引く操作をしない限り、シートパレットは荷崩れ防止シートに対して滑らないものである。
【０００８】
図２から図５は荷崩れ防止シート１の他の例を示していて、上記帯状本体２の両端部に掛け留め手段３を有するものが示されている。掛け留め手段３は、並び設けられたフレキシブルコンテナの上部に掛け渡し易くする用具などが取り付けられるものであり、図２にあってはその一例が示されている。図２に示された掛け留め手段３は帯状本体２の端部それぞれに一対にして設けられたループ形状物３０であり、帯材をループ状にしてその端部それぞれを帯状本体２に縫い付けたものである。図３は掛け留め手段３の第二の例を示していて、帯状本体２の端部それぞれに一対にして設けられた紐体３１からなるものであり、この紐体３１は、一端が帯状本体２に縫い付けられている。さらに、紐体３１は縛り付けできる柔軟なものであり、帯状本体２の同じ端部に位置する紐体同士を縛り付けてループ形状を形成できるようにしたものである。
図４は掛け留め手段３の第三の例を示している。この例にあっては、帯状本体２の端部を折り返して縫製し、棒状物などを通すことのできる袋体３２としてこの掛け留め手段３を形成しているものである。前記袋体３２は片側が閉じて棒状物を差し込んで用いる形状でも良く、棒状物を完全に通すことのできるように両側が開放された形状でもよい。
さらに、図５は第四の例を示している。この第四の例における掛け留め手段３は、帯状本体２が繰り出し可能に巻き付けられている管体３３であって、その管体３３の内部に棒状物などを通すことができるように設けられているものである。管体３３は帯状本体２の一方の端に固定しても良いし、また、固定しなくてもよい。固定した場合には管体３３はフレキシブルコンテナ上に掛け渡された荷崩れ防止シート１が垂みを生じさせないようにするための重りとして作用させる。加えて、この管体３３に巻出し時の回転に対して反力を生じさせるようにして、巻き出された帯状本体２に対してテンションを付与させることができるようにしてもよい。勿論、この場合には巻き出し始端はフレキシブルコンテナに固定させるようにする。
【０００９】
このように上記掛け留め手段３は、帯状本体２をフレキシブルコンテナの上部に引き上げるための用具などを取り付けることができるものであり、上記ループ形状物３０、袋体３２、管体３３からなるものでは、或る程度の長さを有した棒材を孔に通し、また、紐体３１からなるものでは一旦これらを縛り付けてループ部分を形成してから、同様に或る程度の長さを有した棒材をそのループ部分に通すことで、前記棒材を操りながら帯状本体２をフレキシブルコンテナの上部に敷くことができるようになり、仮にフレキシブルコンテナが高く積み上げられている状態でも、棒材などの用具の長さを長くすることで対処できるようになる。
【００１０】
図８は上記荷崩れシート１の敷設作業を簡便にするためのシート取扱操作治具４を示している。この操作治具４は上記掛け留め手段３に挿通状態にして取り付けることのできる棒状の係止部４０と竿体４１とからなるものであり、竿体４１の先端に屈曲した連結部４２を介して係止部４０が連結されている。この屈曲形状は高所となったフレキシブルコンテナの上部に上記荷崩れ防止シート１を下方からの操作で敷き易くするためのものであり、屈曲角度は９０〜１５０度が作業上好ましいが、１２０度であることが特に好ましい。また、竿体４１は複数の棒材４３を締付環４４の締め緩めにて繰り出したり縮めたりできる伸縮可能なものであって、荷崩れ防止シート１の敷設高さに応じて長さを調整できる。また、図８に示された係止部４０は棒状のものであり、上記の何れの掛け留め手段に対してもその掛け留め手段にて形成されたループ部分（ループ形状物、紐体）や腔部分（袋体、管体）に挿入状態にして取り付けることができ、この操作治具４を取り扱うことで高所にも荷崩れ防止シート１を敷設できるようになる。
【００１１】
図９は上記係止部４０の変形例を示していて、ループ形状物３０からなる掛け留め手段３に対応したものであり、ループ形状物３０に対応したフック４５を備えて確実に係止部４０が掛け留め手段３に取り付けられるようにしたものである。さらに図１０は上記管体３３からなる掛け留め手段３に対応した係止部４０を示していて、連結部４２側に止め板４６を設けるとともに、係止部先端側に、例えばねじ付けなどして着脱可能にした当て板４７が設けられていて、この止め板４６と当て板４７との間で管体３３が回転して帯状本体２が繰り出せるようにしているものである。そして、管体３３に対しての取り付けや取り外しを前記当て板４７を取り外してから行えるようにしているものであり、係止部４０にセットして巻かれた状態の荷崩れ防止シート１をこの構造の操作治具４で操りながら転がすことで、フレキシブルコンテナの上部に帯状本体２が繰り出されるようにしたものである。
【００１２】
図８から図１０において係止部４０は連結部４２を介して竿体４１に固定されているものであるが、竿体４１に対して着脱可能とする構造を採用することも可能である。図１１は着脱可能な構造を採用した一例を示すものである。この例の連結部４２では一端側に係止部４０が固定されているとともに、他端側には挿入孔４２ａが開口されており、その挿入孔４２ａの開口縁から延設された添え板４２ｂに沿って竿体４１の先端を前記挿入孔４２ａに挿着し、添え板４２ｂに設けたベルト４２ｃを竿体４１に巻いて締め付けることで竿体４１に連結部４２を取り付け固定するものである。そして、前記ベルト４２ｃを解くことで連結部４２から竿体４１を取り外すことができるようにしている。
また、図１２は他の例を示していて、この図１２に示した例は竿体４１に対して係止部４０を移動させることができるようにしたものである。この例において、係止部４０が固着されている連結部４２は竿体４１が挿通する筒状体４２ｄとして構成され、その竿体４１に接する押圧板４２ｅを、筒状体４２ｄに螺着したねじ４２ｆの締め付けにて竿体４１に圧接させるようにしており、押圧板４２ｅの圧接で竿体４１にこの連結部４２を固定させるようにしたものである。即ち、前記ねじ４２ｆの締め付け調整で竿体４１に対する係止部４０の高さを変更できるようにしている。このため、竿体４１は上述した例のように伸縮できるものである必要はなく、伸縮構造をもたない棒状物を利用しても操作治具４を構成できる。
【００１３】
図１３はフレキシブルコンテナの間に挟み込む荷崩れ防止シートに弛みを生じさせないようにするゴム紐５を示していて、両端部に設けられたＳ字金具５０の一方を荷崩れ防止シートに掛け、他方をフレキシブルコンテナ自体や下位に位置する荷崩れ防止シートに掛け留めるようにしたものであり、荷崩れ防止シートを敷く際には、荷崩れ防止シートの長さ方向の一端をこのゴム紐５を介して留め置きながらこの荷崩れ防止シートの他端を引っ張りながら敷き、他端もこのゴム紐５を用いて留め置くようにする。また、荷崩れ防止シートの長さ方向の端部以外の任意の位置、例えば、幅方向の両側縁の端部をゴム紐５で留め置くようにすることもできる。これによって、敷設した荷崩れ防止シートに弛みが生じないようになる。なお、このゴム紐５としては（イ）に示すようにＳ字金具５０が露出しているものや、（ロ）に示すように、スプリング５１により保護カップ５２が前記Ｓ字金具５０を常時覆う方向に付勢されるようにした構造のものを使用することも可能である。
【００１４】
【発明の効果】
以上説明したように、本発明は、複数段に積み上げられた上下のフレキシブルコンテナの間に介在させて荷崩れ防止に用いるシートを、フレキシブルコンテナ上に敷くために用いるシート取扱治具であって、本発明のシート取扱治具はフレキシブルコンテナ荷崩れ防止シートにおける掛け留め手段に取付可能な棒状の係止部を長さ調節可能とした竿体の先端に備えているので、高所に前記シートを敷く作業を作業者が床側などの低所に居ながら行えるようになり、高所作業がなく安全なシート敷設作業が実施できる。
また、用いるフレキシブルコンテナ荷崩れ防止シートは、所要以上の引っ張り強度を有する柔軟なシートの端部に該シートが繰り出し可能な管体を設けることにより、フレキシブルコンテナ上にシートを掛け渡す際の前記シート取扱治具による作業性が頗る向上する。また、シートの不使用時には巻き付けるなどして場所を取ることがなく、さらに軽量化が容易で取り扱いを簡単なものとすることができる。
さらに、前記シート取扱治具を用いてフレキシブルコンテナ荷崩れ防止シートを敷設する方法は、フレキシブルコンテナ荷崩れ防止シートを敷いて荷崩れ対策を施しながら安全に効率よくフレキシブルコンテナを積み上げることができる。
そして、シートをフレキシブルコンテナ上に張るように敷けるので、フレキシブルコンテナがずれようとするときに作用する引っ張り力にシートが充分に対抗してそのフレキシブルコンテナの移動を抑えるようになり、よって、複数段にフレキシブルコンテナを積み上げても荷崩れが生じないようになり、実用性に優れた効果を奏するものとなる。
【図面の簡単な説明】
【図１】本発明に係るフレキシブルコンテナ荷崩れ防止シートの一例を示す説明図である。
【図２】掛け留め手段を有する一例を示す説明図である。
【図３】紐体からなる掛け留め手段を有した例を示す説明図である。
【図４】袋体からなる掛け留め手段を有した例を示す説明図である。
【図５】管体からなる掛け留め手段を有した例を示す説明図である。
【図６】フレキシブルコンテナの積み重ね状態を示すもので、（イ）はフレキシブルコンテナが密にして積まれた状態を示す説明図、（ロ）は縦割れを生じようとするときの状態を示す説明図である。シート取扱治具を示す説明図である。
【図７】シートパレットを用いたフレキシブルコンテナの積み重ね状態を示す説明図である。
【図８】ループ形状物の掛け留め手段に対応した操作治具を示す説明図である。
【図９】フックを備えた操作治具を示す説明図である。
【図１０】管体の掛け留め部に対応した操作治具を示す説明図である。
【図１１】シート操作治具における竿体を着脱できる連結部を示す説明図である。
【図１２】シート操作治具における竿体に対して移動可能な連結部を示す説明図である。
【図１３】ゴム紐を示す説明図である。
【符号の説明】
１…荷崩れ防止シート
２…帯状本体
３…掛け留め手段
４…シート取扱操作治具
４０…係止部
４１…竿体
５…ゴム紐
【図１】
0003615623.tif 000002
【図２】
0003615623.tif 000003
【図３】
0003615623.tif 000004
【図４】
0003615623.tif 000005
【図５】
0003615623.tif 000006
【図６】
0003615623.tif 000007
【図７】
0003615623.tif 000008
【図８】
0003615623.tif 000009
【図９】
0003615623.tif 000010
【図１０】
0003615623.tif 000011
【図１１】
0003615623.tif 000012
【図１２】
0003615623.tif 000013
【図１３】
0003615623.tif 000014